(57)【要約】【課題】簡単に情報を送受信することができるようにする。【解決手段】データ転送装置１２は、スロット２２に半導体メモリが装着されおり、かつ、ＣＤ−Ｒドライブ２１にデータが記録されているＣＤ−Ｒが装着されていると判定されたとき、送信モードを設定し、ＣＤ−Ｒに記録されているデータを再生し、半導体メモリに記録されている送信先のアドレスに送信する。半導体メモリには、送信先のアドレスに対応するユーザの写真が貼付されている。データ転送装置１３は、スロット３２に半導体メモリが装着されておらず、ＣＤ−Ｒドライブ３１に空のＣＤ−Ｒが装着されている場合、受信モードを設定し、データ転送装置１２からデータが送信されてきたとき、送信されてきたデータをＣＤ−Ｒに記録させる。データを記録し終えると、データ転送装置１３は、ＣＤ−Ｒをイジェクトさせる。本発明は、データを記録再生する装置に適用することができる。【選択図】      図１
2004192300.tif 000002
【特許請求の範囲】
【請求項１】
情報を送信する送信装置において、
送信先の宛先が記録されている第１の記録媒体から前記宛先を取得する第１の取得手段と、
送信する前記情報が記録されている第２の記録媒体から前記情報を取得する第２の取得手段と、
前記第２の取得手段により取得された前記情報を、前記第１の取得手段により取得された前記宛先に送信する送信手段と
を備えることを特徴とする送信装置。
【請求項２】
前記第１の記録媒体には、前記宛先を判別するための画像が貼付されている
ことを特徴とする請求項１に記載の送信装置。
【請求項３】
前記第１の記録媒体と前記第２の記録媒体は異なる記録媒体とされる
ことを特徴とする請求項１に記載の送信装置。
【請求項４】
前記第１の記録媒体は、半導体メモリ、ＩＣカード、バーコードが表示されている紙、手書きのアドレスが記載されている紙、名刺、または、写真である
ことを特徴とする請求項１に記載の送信装置。
【請求項５】
前記第２の記録媒体は、光ディスク、光磁気ディスク、半導体メモリ、ＩＣカード、紙、ビデオテープ、オーディオカセットテープ、８ｍｍデータ記録磁気テープ、または、ＤＬＴデータ磁気記録テープである
ことを特徴とする請求項１に記載の送信装置。
【請求項６】
情報を送信する送信装置の送信方法において、
送信先の宛先が記録されている第１の記録媒体から前記宛先を取得する第１の取得ステップと、
送信する前記情報が記録されている第２の記録媒体から前記情報を取得する第２の取得ステップと、
前記第２の取得ステップの処理により取得された前記情報を、前記第１の取得ステップの処理により取得された前記宛先に送信する送信ステップと
を含むことを特徴とする送信方法。
【請求項７】
情報を送信するプログラムであって、
送信先の宛先が記録されている第１の記録媒体から前記宛先を取得する第１の取得ステップと、
送信する前記情報が記録されている第２の記録媒体から前記情報を取得する第２の取得ステップと、
前記第２の取得ステップの処理により取得された前記情報を、前記第１の取得ステップの処理により取得された前記宛先に送信する送信ステップと
を含むことを特徴とするコンピュータが読み取り可能なプログラムが記録されている記録媒体。
【請求項８】
情報を送信するプログラムであって、
送信先の宛先が記録されている第１の記録媒体から前記宛先を取得する第１の取得ステップと、
送信する前記情報が記録されている第２の記録媒体から前記情報を取得する第２の取得ステップと、
前記第２の取得ステップの処理により取得された前記情報を、前記第１の取得ステップの処理により取得された前記宛先に送信する送信ステップと
をコンピュータに実行させることを特徴とするプログラム。
【請求項９】
情報を送受信する送受信装置において、
送信先の宛先が記録されている第１の記録媒体から前記宛先を取得する取得手段と、
他の送受信装置から送信されてきた前記情報を第２の記録媒体に記録するか、または、前記第２の記録媒体に記録されている前記情報を再生する記録再生手段と、
前記他の送受信装置に前記情報を送信するか、または、前記他の送受信装置から送信されてきた前記情報を受信する送受信手段と、
前記第１の記録媒体が装着されているとき送信モードを設定し、装着されていないとき受信モードを設定する設定手段と
を備えることを特徴とする送受信装置。
【請求項１０】
前記記録再生手段は、前記他の送受信装置から前記情報が送信されてきた場合、前記送受信手段により受信された前記情報を、前記第２の記録媒体に記録した後、前記第２の記録媒体をイジェクトする
ことを特徴とする請求項９に記載の送受信装置。
【請求項１１】
前記第１の記録媒体には、前記宛先を判別するための画像が貼付されている
ことを特徴とする請求項９に記載の送受信装置。
【請求項１２】
前記第１の記録媒体と前記第２の記録媒体は異なる記録媒体とされる
ことを特徴とする請求項９に記載の送受信装置。
【請求項１３】
前記第１の記録媒体は、半導体メモリ、ＩＣカード、バーコードが表示されている紙、手書きのアドレスが記載されている紙、名刺、または、写真である
ことを特徴とする請求項９に記載の送受信装置。
【請求項１４】
前記第２の記録媒体は、光ディスク、光磁気ディスク、半導体メモリ、ＩＣカード、紙、ビデオテープ、オーディオカセットテープ、８ｍｍデータ記録磁気テープ、または、ＤＬＴデータ磁気記録テープである
ことを特徴とする請求項９に記載の送受信装置。
【請求項１５】
情報を送受信する送受信装置の送受信方法において、
送信先の宛先が記録されている第１の記録媒体から前記宛先を取得する取得ステップと、
他の送受信装置から送信されてきた前記情報を第２の記録媒体に記録するか、または、前記第２の記録媒体に記録されている前記情報を再生する記録再生ステップと、
前記他の送受信装置に前記情報を送信するか、または、前記他の送受信装置から送信されてきた前記情報を受信する送受信ステップと、
前記第１の記録媒体が装着されているとき送信モードを設定し、装着されていないとき受信モードを設定する設定ステップと
を含むことを特徴とする送受信方法。
【請求項１６】
情報を送受信するプログラムであって、
送信先の宛先が記録されている第１の記録媒体から前記宛先を取得する取得ステップと、
他の送受信装置から送信されてきた前記情報を第２の記録媒体に記録するか、または、前記第２の記録媒体に記録されている前記情報を再生する記録再生ステップと、
前記他の送受信装置に前記情報を送信するか、または、前記他の送受信装置から送信されてきた前記情報を受信する送受信ステップと、
前記第１の記録媒体が装着されているとき送信モードを設定し、装着されていないとき受信モードを設定する設定ステップと
を含むことを特徴とするコンピュータが読み取り可能なプログラムが記録されている記録媒体。
【請求項１７】
情報を送受信するプログラムであって、
送信先の宛先が記録されている第１の記録媒体から前記宛先を取得する取得ステップと、
他の送受信装置から送信されてきた前記情報を第２の記録媒体に記録するか、または、前記第２の記録媒体に記録されている前記情報を再生する記録再生ステップと、
前記他の送受信装置に前記情報を送信するか、または、前記他の送受信装置から送信されてきた前記情報を受信する送受信ステップと、
前記第１の記録媒体が装着されているとき送信モードを設定し、装着されていないとき受信モードを設定する設定ステップと
を含む処理をコンピュータに実行させることを特徴とするプログラム。
【発明の詳細な説明】
【０００１】
【発明の属する技術分野】
本発明は、送信装置および方法、送受信装置および方法、記録媒体、並びにプログラムに関し、特に、情報を簡単に送信することができるようにした送信装置および方法、送受信装置および方法、記録媒体、並びにプログラムに関する。
【０００２】
【従来の技術】
近年、パーソナルコンピュータやネットワークの発達により、音声、画像、文章、または動画などの様々な情報を遠隔地に送信することができるようになっている。
【０００３】
例えば、ユーザが、画像を電子メールなどにより送信する場合、ユーザは、パーソナルコンピュータにインストールされている電子メールを送信するためのソフトウエアを起動して、送信先の電子メールアドレスを入力し、画像を添付して送信する操作を行なうことにより、画像データを電子メールにより送信することができる。
【０００４】
また、例えば、特許文献１には、パーソナルコンピュータが、近接された電子機器の識別情報を取得し、その識別情報に基づいて、電子機器とネットワークを介して通信することにより、データを授受することが提案されている。
【０００５】
【特許文献１】
特開２００２−２０４２３９号公報
【０００６】
【発明が解決しようとする課題】
しかしながら、特許文献１に記載されている、パーソナルコンピュータと電子機器との間のデータの授受では、データの授受を行なう２つの機器（いまの例の場合、パーソナルコンピュータと電子機器）を近接させることが必要であり、電子メールなどのように、遠くの機器に対してデータを送信することができないという課題があった。
【０００７】
また、パーソナルコンピュータの操作、および、電子メールソフトを使用して送信先の電子メールアドレスを入力するなどの操作は、人間の物理的なデータ転送の直感（例えば、ケーブルを物理的に接続する）とはかけ離れており、送信先の電子メールアドレスの入力においても、抽象化されたものである。例えば、画像を送信したい送信先のユーザの顔や名前を覚えていたとしても、画像を送信するユーザは、送信先のユーザの電子メールアドレスを知らなければ電子メールを送信することができない。
【０００８】
さらに、パーソナルコンピュータなどがネットワークに接続されていても、ビデオテープに録画した動画を転送する場合、ユーザは、例えば、パーソナルコンピュータに動画を取り込ませ、適切な閲覧ソフトウエアを起動し、転送ソフトウエアを起動し、さらに、転送先を指定する必要がある。そのため、知識が必要、かつ、手間がかかるという課題があった。
【０００９】
本発明はこのような状況に鑑みてなされたものであり、簡単に情報を送信できるようにするものである。
【００１０】
【課題を解決するための手段】
本発明の送信装置は、送信先の宛先が記録されている第１の記録媒体から宛先を取得する第１の取得手段と、送信する情報が記録されている第２の記録媒体から情報を取得する第２の取得手段と、第２の取得手段により取得された情報を、第１の取得手段により取得された宛先に送信する送信手段とを備えることを特徴とする。
【００１１】
前記第１の記録媒体には、宛先を判別するための画像が貼付されているようにすることができる。
【００１２】
前記第１の記録媒体と第２の記録媒体は異なる記録媒体とされるようにすることができる。
【００１３】
前記第１の記録媒体は、半導体メモリ、ＩＣカード、バーコードが表示されている紙、手書きのアドレスが記載されている紙、名刺、または、写真であるようにすることができる。
【００１４】
前記第２の記録媒体は、光ディスク、光磁気ディスク、半導体メモリ、ＩＣカード、紙、ビデオテープ、オーディオカセットテープ、８ｍｍデータ記録磁気テープ、または、ＤＬＴデータ磁気記録テープであるようにすることができる。
【００１５】
本発明の送信方法は、送信先の宛先が記録されている第１の記録媒体から宛先を取得する第１の取得ステップと、送信する情報が記録されている第２の記録媒体から情報を取得する第２の取得ステップと、第２の取得ステップの処理により取得された情報を、第１の取得ステップの処理により取得された宛先に送信する送信ステップとを含むことを特徴とする。
【００１６】
本発明の第１の記録媒体に記録されているプログラムは、送信先の宛先が記録されている第１の記録媒体から宛先を取得する第１の取得ステップと、送信する情報が記録されている第２の記録媒体から情報を取得する第２の取得ステップと、第２の取得ステップの処理により取得された情報を、第１の取得ステップの処理により取得された宛先に送信する送信ステップとを含むことを特徴とする。
【００１７】
本発明の第１のプログラムは、送信先の宛先が記録されている第１の記録媒体から宛先を取得する第１の取得ステップと、送信する情報が記録されている第２の記録媒体から情報を取得する第２の取得ステップと、第２の取得ステップの処理により取得された情報を、第１の取得ステップの処理により取得された宛先に送信する送信ステップとをコンピュータに実行させることを特徴とする。
【００１８】
本発明の送受信装置は、送信先の宛先が記録されている第１の記録媒体から宛先を取得する取得手段と、他の送受信装置から送信されてきた情報を第２の記録媒体に記録するか、または、第２の記録媒体に記録されている情報を再生する記録再生手段と、他の送受信装置に情報を送信するか、または、他の送受信装置から送信されてきた情報を受信する送受信手段と、第１の記録媒体が装着されているとき送信モードを設定し、装着されていないとき受信モードを設定する設定手段とを備えることを特徴とする。
【００１９】
前記記録再生手段は、他の送受信装置から情報が送信されてきた場合、送受信手段により受信された情報を、第２の記録媒体に記録した後、第２の記録媒体をイジェクトするようにすることができる。
【００２０】
前記第１の記録媒体には、宛先を判別するための画像が貼付されているようにすることができる。
【００２１】
前記第１の記録媒体と第２の記録媒体は異なる記録媒体とされるようにすることができる。
【００２２】
前記第１の記録媒体は、半導体メモリ、ＩＣカード、バーコードが表示されている紙、手書きのアドレスが記載されている紙、名刺、または、写真であるようにすることができる。
【００２３】
前記第２の記録媒体は、光ディスク、光磁気ディスク、半導体メモリ、ＩＣカード、紙、ビデオテープ、オーディオカセットテープ、８ｍｍデータ記録磁気テープ、または、ＤＬＴデータ磁気記録テープであるようにすることができる。
【００２４】
本発明の送受信方法は、送信先の宛先が記録されている第１の記録媒体から宛先を取得する取得ステップと、他の送受信装置から送信されてきた情報を第２の記録媒体に記録するか、または、第２の記録媒体に記録されている情報を再生する記録再生ステップと、他の送受信装置に情報を送信するか、または、他の送受信装置から送信されてきた情報を受信する送受信ステップと、第１の記録媒体が装着されているとき送信モードを設定し、装着されていないとき受信モードを設定する設定ステップとを含むことを特徴とする。
【００２５】
本発明の第２の記録媒体に記録されているプログラムは、送信先の宛先が記録されている第１の記録媒体から宛先を取得する取得ステップと、他の送受信装置から送信されてきた情報を第２の記録媒体に記録するか、または、第２の記録媒体に記録されている情報を再生する記録再生ステップと、他の送受信装置に情報を送信するか、または、他の送受信装置から送信されてきた情報を受信する送受信ステップと、第１の記録媒体が装着されているとき送信モードを設定し、装着されていないとき受信モードを設定する設定ステップとを含むことを特徴とする。
【００２６】
本発明の第２のプログラムは、送信先の宛先が記録されている第１の記録媒体から宛先を取得する取得ステップと、他の送受信装置から送信されてきた情報を第２の記録媒体に記録するか、または、第２の記録媒体に記録されている情報を再生する記録再生ステップと、他の送受信装置に情報を送信するか、または、他の送受信装置から送信されてきた情報を受信する送受信ステップと、第１の記録媒体が装着されているとき送信モードを設定し、装着されていないとき受信モードを設定する設定ステップとを含む処理をコンピュータに実行させることを特徴とする。
【００２７】
本発明の送信装置および方法、第１の記録媒体、並びに第１のプログラムにおいては、送信先の宛先が記録されている第１の記録媒体から宛先が取得され、送信する情報が記録されている第２の記録媒体から情報が取得され、情報が宛先に送信される。
【００２８】
本発明の送受信装置および方法、第２の記録媒体、並びに第２のプログラムにおいては、第１の記録媒体が装着されているとき送信モードが設定され、装着されていないとき受信モードが設定される。
【００２９】
【発明の実施の形態】
図１は、本発明を適用したデータ転送システム１の全体の構成例を表わしている。
【００３０】
この構成例においては、例えば、データ転送装置１２は、インターネット１１を介して、データ転送装置１３にデータを転送する。
【００３１】
データ転送装置１２は、装着されたＣＤ−Ｒ（Ｃｏｍｐａｃｔ  Ｄｉｓｃ  Ｒｅｃｏｒｄａｂｌｅ）（後述する図３のＣＤ−Ｒ８０）に記録されているデータを再生したり、装着されたＣＤ−Ｒにデータを記録させるＣＤ−Ｒドライブ２１、半導体メモリ（図４の半導体メモリ９０）が装着されるスロット２２、および、表示部２３により構成されている。
【００３２】
データ転送装置１３は、データ転送装置１２のＣＤ−Ｒドライブ２１、スロット２２、および表示部２３と同様に、ＣＤ−Ｒドライブ３１、スロット３２、および表示部３３を有している。
【００３３】
図２は、図１のデータ転送装置１２の詳細な構成例を示すブロック図である。
【００３４】
ＣＰＵ（Ｃｅｎｔｒａｌ  Ｐｒｏｃｅｓｓｉｎｇ  Ｕｎｉｔ）５１は、ＲＯＭ（Ｒｅａｄ  Ｏｎｌｙ  Ｍｅｍｏｒｙ）５２に記憶されいてるプログラムに従って各種の処理を実行する。ＲＡＭ（Ｒａｎｄｏｍ  Ａｃｃｅｓｓ  Ｍｅｍｏｒｙ）５３には、ＣＰＵ５１が各種の処理を実行する上において必要なデータなどが適宜記憶される。また、ＲＯＭ５２には、データ転送装置１２に特有のアドレス（例えば、電子メールアドレス）が、あらかじめ記録されている。
【００３５】
ＣＰＵ５１、ＲＯＭ５２、およびＲＡＭ５３は、内部バス５４を介して相互に接続されている。この内部バス５４にはまた、入出力インターフェース５５も接続されている。
【００３６】
入出力インターフェース５５には、ＣＤ−Ｒドライブ２１、スロット２２、ＬＣＤ（Ｌｉｑｕｉｄ  Ｃｒｙｓｔａｌ  Ｄｉｓｐｌａｙ）などよりなる表示部２３、および、モデム、ターミナルアダプタなどにより構成される通信部５６が接続されている。通信部５６は、インターネット１１を介して他の機器（例えば、図１のデータ転送装置１３）と通信を行なう。
【００３７】
ＣＤ−Ｒドライブ２１には、図３に示されるようなＣＤ−Ｒ８０がユーザにより、必要に応じて装着される。ユーザが画像、または動画などのデータを転送する場合、転送するデータが記録されているＣＤ−Ｒ８０をＣＤ−Ｒドライブ２１に装着する。また、ユーザが、画像または動画などのデータを他のデータ転送装置（いまの例の場合、データ転送装置１３）から受信する場合、何も記録されていない（空の）ＣＤ−Ｒ８０をＣＤ−Ｒドライブ２１に装着する。
【００３８】
スロット２２には、図４に示されるような半導体メモリ９０が装着される。半導体メモリ９０は、例えば、メモリスティック（商標）、スマートメディア（商標）といったフラッシュメモリで構成される。この半導体メモリ９０には、送信するユーザが保持するデータ転送装置（例えば、データ転送装置１３）に特有のアドレス（宛先）が記憶されており、半導体メモリ９０の表面には、記憶されいてるアドレスに対応するユーザ（いまの例の場合、データ転送装置１３のユーザ）の写真９１が貼付されている。ユーザのアドレスは、送信先をインターネット１１を介して特定できるものであれば何でもよく、例えば、電子メールアドレスとされる。
【００３９】
例えば、データ転送装置１２のユーザ（ユーザＡ）が、画像データをデータ転送装置１３のユーザ（ユーザＢ）に転送する場合、データ転送装置１２のユーザＡは、送信先としてのユーザＢの写真９１が表示されている半導体メモリ９０をスロット２２に外部から装着し、送信したい画像データが記録されているＣＤ−Ｒ８０をＣＤ−Ｒドライブ２１に外部から装着する。データ転送装置１２のＣＰＵ５１は、スロット２２に、半導体メモリ９０に記憶されている送信先のアドレス（いまの例の場合、ユーザＢの電子メールアドレス）を読み取らせ、送信先のアドレスを取得する。そして、ＣＰＵ５１は、ＣＤ−Ｒドライブ２１により再生されたＣＤ−Ｒ８０の画像データを、通信部５６およびインターネット１１を介して、送信先のアドレスに対応するデータ転送装置（いまの例の場合、データ転送装置１３）に転送する。
【００４０】
また、データ転送装置１２のユーザが、他のデータ転送装置（例えば、データ転送装置１３）から転送された画像データを受信する場合、ユーザは、データ転送装置１２のＣＤ−Ｒドライブ２１に、何も記録されていない（空の）ＣＤ−Ｒ８０を外部から装着する。データ転送装置１２の通信部５６にインターネット１１を介して他のデータ転送装置から画像データが転送されてきた場合、ＣＰＵ５１は、ＣＤ−Ｒドライブ２１に装着されているＣＤ−Ｒ８０に、転送されてきた画像データを書き込ませる（記録させる）。
【００４１】
入出力インターフェース５５にはまた、必要に応じてドライブ６０が接続され、磁気ディスク、光ディスク、光磁気ディスク、あるいは半導体メモリなどによりなるリムーバブルメディア６１が適宜装着され、それから読み出されたコンピュータプログラムが、必要に応じてＲＡＭ５３にインストールされる。
【００４２】
なお、データ転送装置１３の構成は図２のデータ転送装置１２と同一であるため、その説明は省略する。そして、以下においては、図２は、必要に応じてデータ転送装置１３の構成としても引用する。
【００４３】
データ転送装置１２のソフトウエアを中心とした機能的構成は、図５に示されるようになる。
【００４４】
半導体メモリ検出部１１１は、スロット２２に、半導体メモリ９０が装着されているか否かを検出する。モード設定部１１２は、半導体メモリ検出部１１１とＣＤ−Ｒ検出部１１４の検出結果に基づいて、モード（送信モードまたは受信モード）を設定する。半導体メモリデータ読み出し部１１３は、スロット２２に装着された半導体メモリ９０に記録されているデータを読み出す。ＣＤ−Ｒ検出部１１４は、ＣＤ−Ｒドライブ２１にＣＤ−Ｒ８０が装着されているか否かを検出する。ＣＤ−Ｒデータ再生部１１５は、ＣＤ−Ｒドライブ２１に装着されているＣＤ−Ｒ８０に記録されているデータを再生し、ＣＤ−Ｒ記録制御部１２０は、ＣＤ−Ｒドライブ２１に装着されているＣＤ−Ｒ８０にデータを記録するように制御する。
【００４５】
送信制御部１１６は、ＣＤ−Ｒデータ再生部１１５により再生されたデータを、半導体メモリデータ読み出し部１１３から読み出された宛先（データ）に送信するように通信部５６を制御する。表示制御部１１７は、表示部２３の表示を制御する。ＣＤ−Ｒイジェクト部１１８は、ＣＤ−Ｒドライブ２１に装着されているＣＤ−Ｒ８０をイジェクトする。受信制御部１１９は、他のデータ転送装置（例えば、データ転送装置１３）から送信されてきたデータを受信するように通信部５６を制御する。
【００４６】
なお、図示は省略するが、データ転送装置１３も、図５に示したデータ転送装置１２と同様の構成とされている。
【００４７】
次に、図６のフローチャートを参照して、図２のデータ転送装置１２における送受信処理を説明する。なお、この処理は、データ転送装置１２の電源がオンされたとき開始される。
【００４８】
ステップＳ１において、半導体メモリ検出部１１１は、スロット２２に半導体メモリ９０が装着されているか否かを判定する。半導体メモリ検出部１１１により半導体メモリ９０が装着されているとの判定結果が入力された場合、ステップＳ２において、モード設定部１１２は、送信モードを設定する。
【００４９】
ステップＳ３において、半導体メモリデータ読み出し部１１３は、モード設定部１１２から送信モードの通知の入力を受けたとき、スロット２２に装着されている半導体メモリ９０に記録されているアドレス（宛先）を読み出させ、これを取得する。例えば、半導体メモリ９０にデータ転送装置１３のユーザの写真が貼付されている場合、半導体メモリ９０には、その写真のユーザのデータ転送装置１３のアドレス（宛先）が記録されている。
【００５０】
ステップＳ４において、ＣＤ−Ｒ検出部１１４は、ＣＤ−Ｒドライブ２１にデータが記録されているＣＤ−Ｒ８０が装着されているか否かを判定する。
【００５１】
ステップＳ４において、データが記録されているＣＤ−Ｒ８０が装着されていないと判定された場合、ステップＳ１０において、表示制御部１１７は、いま送信モードが設定されているので、表示部２３に、送信するＣＤ−Ｒ８０（データが記録されているＣＤ−Ｒ８０）の装着を促すメッセージを表示させる。例えば、ステップＳ３の処理により読み出された送信先のアドレスがユーザＢのアドレスである場合、表示部２３には、「ユーザＢに送信したいデータが記録されているＣＤ−Ｒを装着して下さい」などのメッセージが表示される。その後、処理はステップＳ１に戻り、それ以降の処理が繰り返される。その結果、例えば、途中で半導体メモリ９０が離脱された場合、後述するように受信モードが設定される。
【００５２】
ステップＳ４において、データが記録されているＣＤ−Ｒ８０が装着されていると判定された場合、処理はステップＳ５に進み、ＣＤ−Ｒデータ再生部１１５は、ＣＤ−Ｒドライブ２１にＣＤ−Ｒ８０を再生させ、再生データを取得する。
【００５３】
ステップＳ６において、送信制御部１１６は、ステップＳ５の処理により再生された再生データを、ステップＳ３の処理により読み出されたアドレス（半導体メモリ９０から読み出されたアドレス）に電子メールに添付する形式で送信する。
【００５４】
ステップＳ７において、送信制御部１１６は、送信が終了したか否かを判定する。具体的には、ＣＤ−Ｒドライブ２１に装着されているＣＤ−Ｒ８０に記録されていたデータを全て送信し終えたか否かを判定する。まだ送信が終了していないと判定された場合、送信が終了したと判定されるまで待機する。
【００５５】
ステップＳ７において、送信が終了したと判定された場合、処理はステップＳ８に進み、表示制御部１１７は、表示部２３に送信完了のメッセージを表示させる。このメッセージは、例えば、半導体メモリ９０に貼付されている写真が、ユーザＢの写真である場合、表示部２３には、「ユーザＢにデータを送信しました」などのメッセージが表示される。
【００５６】
ステップＳ９において、ＣＤ−Ｒイジェクト部１１８は、ＣＤ−Ｒドライブ２１に、ＣＤ−Ｒドライブ２１に装着されているＣＤ−Ｒ８０をイジェクトさせる。その後、処理はステップＳ１に戻り、それ以降の処理が繰り返される。
【００５７】
このように、ユーザは、スロット２２に送信先のユーザの写真が貼ってある半導体メモリ９０を装着し、ＣＤ−Ｒドライブ２１に、転送するデータが記録されているＣＤ−Ｒ８０を装着するだけの簡単な操作で、以後、スタートボタン等の操作をせずとも、データが自動的に送信先に送信される。
【００５８】
従って、電子機器の操作に不慣れな女性、子供、老人等でも、簡単、かつ、確実にデータを送信することができる。
【００５９】
ステップＳ１において、半導体メモリ９０がスロット２２に装着されていないと判定された場合、処理はステップＳ１１に進み、モード設定部１１２は、受信モードを設定する。
【００６０】
ステップＳ１２において、ＣＤ−Ｒ検出部１１４は、モード設定部１１２から受信モードの設定の通知を受けたとき、ＣＤ−Ｒドライブ２１に空の（データが記録されていない）ＣＤ−Ｒ８０が装着されているか否かを判定する。
【００６１】
ステップＳ１２において、空の（何も記録されていないか、未記録領域を有する）ＣＤ−Ｒ８０が装着されていないと判定された場合、処理はステップＳ１６に進み、表示制御部１１７は、いま、受信モードが設定されているので、空の（何も記録されていないか、未記録領域を有する）ＣＤ−Ｒ８０の装着を促すメッセージを表示部２３に表示させる。例えば、表示部２３には、「空のＣＤ−Ｒを装着して下さい」などのメッセージが表示される。その後、処理はステップＳ１に戻り、それ以降の処理が繰り返される。
【００６２】
ステップＳ１２で、空のＣＤ−Ｒ８０が装着されていると判定された場合、処理はステップＳ１３に進み、受信制御部１１９は、通信部５６がインターネット１１を介して、他のデータ転送装置（いまの例の場合、データ転送装置１３）からデータを受信したか否かを判定する。ステップＳ１３において、データを受信していないと判定された場合、処理はステップＳ１２に戻り、それ以降の処理が繰り返される。その結果、例えば、半導体メモリ９０が途中で装着された場合、上述したように、モードは送信モードに変更される。
【００６３】
ステップＳ１３において、データを受信したと判定された場合、処理はステップＳ１４に進み、ＣＤ−Ｒ記録制御部１２０は、ＣＤ−Ｒドライブ２１に、ＣＤ−Ｒドライブ２１に装着されているＣＤ−Ｒ８０に再生データを記録させるように制御する。この制御に基づいて、ＣＤ−Ｒドライブ２１は、ＣＤ−Ｒドライブ２１に装着されている（少なくとも一部が空の）ＣＤ−Ｒ８０に受信データを記録する。
【００６４】
ステップＳ１５において、ＣＤ−Ｒ記録制御部１２０は、ＣＤ−Ｒ８０への記録が完了したか否かを判定する。記録が完了していないと判定された場合、記録が完了したと判定されるまで待機される。
【００６５】
ステップＳ１５において、ＣＤ−Ｒ８０への記録が完了したと判定された場合、処理はステップＳ９に進み、ＣＤ−Ｒイジェクト部１１８は、ＣＤ−Ｒドライブ２１に装着されているＣＤ−Ｒ８０をイジェクトさせる。その後、処理はステップＳ１に戻り、それ以降の処理が繰り返される。
【００６６】
図６の処理により、半導体メモリ９０がスロット２２に装着されており（ステップＳ１においてＹＥＳとされ）、かつ、データが記録されているＣＤ−Ｒ８０がＣＤ−Ｒドライブ２１に装着されている場合（ステップＳ４においてＹＥＳとされた場合）、データ転送装置１２は、自動的にＣＤ−Ｒ８０を再生し、半導体メモリ９０に記録されているアドレスに再生データを送信するようにしたので、データの送信処理を簡単に行なうことができる。
【００６７】
また、半導体メモリ９０がスロット２２に装着されておらず（ステップＳ１においてＮＯとされ）、空のＣＤ−Ｒ８０が装着されている状態で（ステップＳ１２においてＹＥＳとされた状態で）、他のデータ転送装置（例えば、データ転送装置１３）からデータが転送されてきた場合、データ転送装置１２は、自動的に受信データを少なくとも一部が空のＣＤ−Ｒ８０に記録するようにしたので、データの受信処理を簡単に行なうことができる。
【００６８】
以上の処理により、データ転送装置１２に送信先のアドレスが記録されている記録媒体（いまの例の場合、半導体メモリ９０）と送信するデータが記録されている記録媒体（いまの例の場合、ＣＤ−Ｒ８０）をそれぞれ装着させることにより、自動的に（送信ボタンの操作など、さらに特別な操作を必要とすることなく）送信先にデータを送信させることができる。また、他のデータ転送装置からデータが送信されてきた場合、データ転送装置１２に、データを記録する記録媒体（いまの例の場合、少なくとも一部が空のＣＤ−Ｒ８０）を装着させることにより、データを自動的に（特別な操作をすることなく）受信させ、記録させることができる。
【００６９】
これにより、データの送受信処理（転送処理）を簡単にすることができる。
【００７０】
また、データ転送装置１２がデータを送信し終えた後、または、データを受信し、記録し終えた後、記録媒体（いまの例の場合、ＣＤ−Ｒ８０）を自動的にイジェクトするようにしたので、送信し終えた記録媒体、または、記録し終えた記録媒体の取り出し忘れを防ぐことができる。また、送信側には、送信処理が完了したことを、さらに、受信側には、データが受信されたことを確実に認識させることができる。
【００７１】
さらに、送信先のアドレスという抽象化された情報（ＩＤ情報）をユーザに入力させるのではなく、そのアドレスに対応するユーザ（そのアドレスを有する機器を保持しているユーザ）の写真が貼付されている物理的媒体（いまの例の場合、写真９１が貼付されている半導体メモリ９０）を選択させるようにしたので、ユーザは、直感的に、送信先のユーザを特定し、選択することができる。
【００７２】
従って、ユーザは、アドレス入力を含む煩雑な操作を要求されることなく、より直感的に、郵便を出す感覚で、送信先にデータを送信することができる。これにより、将来的に、様々な機器がネットワークに接続されるようになった場合においても、より広い層のユーザ（子供からお年寄りまで）が、データを送受信できる。
【００７３】
また、通常では、パーソナルコンピュータによる処理が必要な場合においても、ユーザは、特にその操作を行なう必要がなく、データを送受信することが可能である。
【００７４】
さらに、アドレス（ＩＤ情報）は、特定の機器に特化したものではなく、異なる機器に共通して使用することができる。すなわち、例えば、電子メールアドレスと電話番号などの２つの抽象化された記号を機器によって使い分ける必要もない。
【００７５】
なお、以上の例は、半導体メモリ９０を、送信先のアドレスが記録されている記録媒体としたが、この記録媒体（以下、メディア１と称する）は、アドレスを書き込んだ、接触式または非接触式のＩＣカード、アドレスを含むバーコードが表示されている紙、手書きのアドレスが記載されている紙、アドレスが印刷された名刺、または、アドレスが埋め込まれた写真とすることもできる。
【００７６】
例えば、メディア１が図７に示されるようなＩＣカード１５０とされる場合、スロット２２には、接触式または非接触式のＩＣカード読み取り部が設けられる。また、ＩＣカード１５０の表面には、半導体メモリ９０の場合と同様に、ユーザの写真１５１が貼付されている。ＩＣカード１５０には、写真に対応するユーザが有するデータ転送装置１３のアドレスが記録されている。
【００７７】
また、例えば、メディア１がバーコードが表示されている紙とされる場合、スロット２２には、バーコードリーダが設けられる。このバーコードは、勿論、ユーザのアドレスを含み、紙には、ユーザの写真が表示されている。
【００７８】
さらに、例えば、メディア１が手書きのアドレスが記載されている紙とされる場合、スロット２２には、ＯＣＲ（Ｏｐｔｉｃａｌ  Ｃｈａｒａｃｔｅｒ  Ｒｅｃｏｇｎｉｔｉｏｎ）が設けられる。ＯＣＲは、手書きのアドレスを読み込み、テキストデータに変換する。この紙には、勿論、ユーザの写真が貼付されている。名刺にアドレスが印刷されている場合においても、スキャナにより読み取ることができる。
【００７９】
メディア１が写真とされた場合、スロット２２には、写真の一部に、例えば、透かしにより埋め込まれたアドレスを読み取り、復号する復号装置が設けられる。
【００８０】
このように、メディア１に送信先のユーザのアドレスを記録し、記録したアドレスに対応するユーザの写真を貼付させることにより、データを転送しようとするユーザは、アドレスを覚えていなくても、感覚的に（写真から）、送信先のユーザを判別することができる。
【００８１】
また、メディア１は、データ転送装置１２のユーザが、パーソナルコンピュータの操作方法を知らない場合においても、メーカ、または、パーソナルコンピュータを有する知人などに、データ転送装置１２のアドレスをメディア１に記録してもらい、メディア１に写真を貼付するだけで、メディア１は容易に作成することができる。
【００８２】
また、以上の例は、ＣＤ−Ｒ８０を、送信するデータの記録媒体としたが、この記録媒体（以下、メディア２と称する）は、光ディスク（例えば、ＣＤ（Ｃｏｍｐａｃｔ  Ｄｉｓｃ）、ＣＤ−ＲＷ（Ｃｏｍｐａｃｔ  Ｄｉｓｃ  ＲｅＷｒｉｔｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）、ＤＶＤ−ＲＷ（Ｄｉｇｉｔａｌ  Ｖｅｒｓａｔｉｌｅ  Ｄｉｓｃ  ＲｅＷｒｉｔｂｌｅ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＤＶＤ＋Ｒ（Ｄｉｇｉｔａｌ  Ｖｅｒｓａｔｉｌｅ  Ｄｉｓｋ  Ｒｅｃｏｒｄａｂｌｅ）、ＤＶＤ＋ＲＷ（Ｄｉｇｉｔａｌ  Ｖｅｒｓａｔｉｌｅ  Ｄｉｓｃ  ＲｅＷｒｉｔｂｌｅ））、光磁気ディスク（例えば、ＭＤ（Ｍｉｎｉ  Ｄｉｓｃ）、ＭＯ（Ｍａｇｎｅｔｏ  Ｏｐｔｉｃａｌ）ディスク）、半導体メモリ、ＩＣカード、紙、ビデオテープ、オーディオカセットテープ、８ｍｍデータ記録磁気テープ、または、ＤＬＴ（Ｄｉｇｉｔａｌ  Ｌｉｎｅａｒ  Ｔａｐｅ）（商標）データ磁気記録テープとすることもできる。
【００８３】
例えば、メディア２が、ＣＤ−ＲＷとされる場合、ＣＤ−Ｒドライブ２１は、ＣＤ−ＲＷドライブとされる。
【００８４】
また、例えば、メディア２が、原稿が記載されている紙とされる場合、ＣＤ−Ｒドライブ２１は、スキャナとされる。スキャナは、紙に記載されている原稿を読み取り、ＣＰＵ５１は、読み取ったデータを通信部５６を介して送信先のアドレスに送信する。
【００８５】
さらに、例えば、メディア２が、ビデオテープとされる場合、ＣＤ−Ｒドライブ２１は、ビデオテープレコーダとされる。ビデオテープレコーダは、ビデオテープに記録されているデータを再生し、ＣＰＵ５１は、再生したデータを通信部５６を介して送信先のアドレスに送信する。
【００８６】
また、例えば、メディア２が、オーティオカセットテープ（音楽データが記録されている記録媒体）とされる場合、ＣＤ−Ｒドライブ２１は、オーディオカセットテープレコーダとされる。オーディオカセットテープレコーダは、オーディオカセットテープに記憶されているデータを再生し、ＣＰＵ５１は、再生したデータを通信部５６を介して送信先のアドレスに送信する。
【００８７】
さらに、例えば、メディア２が、８ｍｍデータ記録磁気テープ（バックアップストリームデータが記録されている記録媒体）とされている場合、ＣＤ−Ｒドライブ２１は、８ｍｍデータ記録磁気テープの記録再生装置とされる。この記録再生装置は、８ｍｍデータ記録磁気テープに記憶されているデータを再生し、ＣＰＵ５１は、再生したデータを通信部５６を介して送信先のアドレスに送信する。
【００８８】
また、例えば、メディア２が、ＤＬＴデータ磁気記録テープ（バックアップストリームデータが記録されている記録媒体）とされている場合、ＣＤ−Ｒドライブ２１は、ＤＬＴデータ磁気記録テープの記録再生装置とされる。この記録再生装置は、８ｍｍデータ記録磁気テープに記憶されているデータを再生し、ＣＰＵ５１は、再生したデータを通信部５６を介して送信先のアドレスに送信する。
【００８９】
メディア２は記録再生できる記録媒体であればよく、メディア１は再生できる記録媒体であればよい。
【００９０】
なお、メディア２とメディア１は、基本的には異なるメディアとされる。例えば、メディア２がＩＣカードとされる場合、メディア１は、ＩＣカードではない。メディア１とメディア２を同一のメディアとすることも可能であるが、その場合でも、データ転送装置１２，１３には、それぞれ専用の装着部（すなわち、２個の装着部）が一体的に設けられる。
【００９１】
また、メディア２として複数種類（例えば、半導体メモリとＣＤ−Ｒの２種類）のメディアが装着できるようにしてもよい。この場合、例えば、送信側のデータ転送装置１２において、半導体メモリの再生データを送信する場合、受信側のデータ転送装置１３は、送信側と同じ記録媒体、すなわち、いまの例の場合、半導体メモリに記録させるようにする。すなわち、同一のメディアに転送を行なうようにする。
【００９２】
さらに、メディア１に、記録されているアドレスに対応するユーザの写真を貼付するようにしたが、これに限らず、名前、ニックネーム、キャラクター等、ユーザを迅速かつ確実に特定できる情報であれば何でも良い。
【００９３】
また、以上の例では、メディア１にアドレスとして、例えば、電子メールアドレスを記録させるようにしたが、送信先を特定できるような情報であれば、他のものでも良い。
【００９４】
さらに、送信するデータは、画像、文書、テキスト、それらの混合データ等、各種のデータとすることができる。
【００９５】
なお、以上の例では、インターネット１１を介して情報を送受信するようにしたが、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、その他のネットワーク、または、それらを組み合わせたネットワークで送受信するようにしてもよい。この場合、サーバに負担をかけることなく、大きい容量の情報を送受信することも可能となる。
【００９６】
メディア１とメディア２の装着部の少なくとも一方は、データ転送装置本体とは別体に構成することもできる。
【００９７】
例えば、ビデオテープレコーダと送信先のアドレスが記録されているメディア１（例えば、半導体メモリ９０）を読み取る装置をデータ転送装置１２に接続させ、データ転送装置１２に認識させることにより、ビデオテープレコーダにより再生された映像データ（ビデオテープに記録されている映像データ）を、メディア１に記録されている、送信先のデータ転送装置１３に接続されるビデオテープレコーダに送信させ、ビデオテープレコーダに装着されているビデオテープに記録させることができる。
【００９８】
他の例として、ビデオテープに記録させるだけでなく、ビデオテープレコーダに直接接続されているテレビジョン受像機に出力させることも可能である。この場合、受信側のデータ転送装置１３は、ビデオテープレコーダに空のビデオテープが装着されていないとき、ビデオテープレコーダに接続されているテレビジョン受像機に出力させるようにする。これにより、例えば、孫が撮影されているビデオテープを、郵便などで送付することなく、かつ、簡単な操作で、おじいさんの家のテレビジョン受像機に出力させることができる。
【００９９】
また、例えば、コピースキャナと、送信先のアドレスが記録されているメディア１（例えば、半導体メモリ９０）を読み取る装置を、データ転送装置１２に接続させ、データ転送装置１２に認識させることにより、コピースキャナによりスキャンされた画像データは、メディア１に記録されている、送信先のデータ転送装置１３に接続されているコピースキャナに送信される。データ転送装置１３に接続されているコピースキャナは、受信した画像データをプリントして出力する。これにより、例えば、孫が撮影されている写真を、郵便などで送付することなく、かつ、簡単な操作で、おじいさんの家のコピースキャナに写真を出力させることができる。
【０１００】
さらに、受信側のデータ転送装置１３は、パーソナルコンピュータとすることもできる。この場合、送信側のデータ転送装置１２は、受信側のパーソナルコンピュータにより使用されている電子メールソフトのアドレスに対して、データを送信する。また、受信側のパーソナルコンピュータには、あらかじめ、データ転送装置１２から送信された電子メールを受信した場合、自動的にＣＤ−Ｒなどのメディア２に記録するソフトが設けられる。
【０１０１】
上述した一連の処理は、ハードウエアにより実行させることもできるし、ソフトウエアにより実行させることもできる。
【０１０２】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１０３】
この記録媒体は、図２に示されるように、装置本体とは別に、ユーザにプログラムを提供するために配布される、プログラムが記録されているリムーバブルメディア６１よりなるパッケージメディアにより構成されるだけでなく、装置本体に予め組み込まれた状態でユーザに提供される、プログラムが記録されているＲＯＭ５２やハードディスクなどで構成される。
【０１０４】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【０１０５】
また、本明細書において、システムとは、複数の装置により構成される装置全体を表わすものである。
【０１０６】
【発明の効果】
以上の如く、第１の本発明によれば、情報を送信することができる。特に、本発明によれば、情報を簡単に送信することができる。
【０１０７】
第２の本発明によれば、情報を送受信することができる。特に、本願発明によれば、情報の送受信を簡単に行なうことができる。また、送信されてきた情報を簡単に記録することができる。
【図面の簡単な説明】
【図１】本発明を適用したデータ転送システムの全体の構成例を示すブロック図である。
【図２】図１のデータ転送装置の構成例を示すブロック図である。
【図３】図２のＣＤ−Ｒドライブに装着されるＣＤ−Ｒを説明する図である。
【図４】図２のスロットに装着される半導体メモリを説明する図である。
【図５】図２データ転送装置の機能的構成を示すブロック図である。
【図６】図２のデータ転送装置における送受信処理を説明するフローチャートである。
【図７】ＩＣカードを説明する図である。
【符号の説明】
１  データ転送システム，  １１  インターネット，  １２  データ転送装置，  １３  データ転送装置，  ２１  ＣＤ−Ｒドライブ，  ２２  スロット，  ２３表示部，  ５１  ＣＰＵ，  ５２  ＲＯＭ，  ５３  ＲＡＭ，  ８０  ＣＤ−Ｒ，  ９０  半導体メモリ，  ９１  写真，  １１１  半導体メモリ検出部，  １１２  モード設定部，  １１３  半導体メモリデータ読み出し部，  １１４  ＣＤ−Ｒ検出部，１１５  ＣＤ−Ｒデータ再生部，  １１６  送信制御部，  １１７  表示制御部，１１８  ＣＤ−Ｒイジェクト部，  １１９  受信制御部，  １２０  ＣＤ−Ｒ記録制御部，  １５０  ＩＣカード，  １５１  写真
【図１】
2004192300.tif 000003
【図２】
2004192300.tif 000004
【図３】
2004192300.tif 000005
【図４】
2004192300.tif 000006
【図５】
2004192300.tif 000007
【図６】
2004192300.tif 000008
【図７】
2004192300.tif 000009